(57)【要約】【課題】  遊技者に斬新な視覚効果を与え、遊技者の興味を十分に引くことのできる弾球遊技機用遊技部品を提供する。【解決手段】  本発明は、遊技盤１の前面側に形成された遊技領域４に設けられる弾球遊技機遊技機用遊技部品７であって、節により連結された複数の部材７５，７６，７７から成り、１つの部材７６の変位に伴い他の部材７５，７７が変位可能な可動体１８と、可動体１８の１つの部材７６を変位させるための可動体変位機構１９とを備え、可動体８は可動体変位機構１９の動作方向と異なる方向に変位可能なように構成されていることを特徴とし、多彩な演出が可能となり、遊技者に斬新な視覚効果を与え、遊技者の興味を増大させることができる。【選択図】  図１
2005052324.tif 000002
【特許請求の範囲】
【請求項１】
遊技盤の前面側に形成された遊技領域に設けられる弾球遊技機用遊技部品であって、
節により連結された複数の部材から成り、１つの部材の変位に伴い他の部材が変位可能な可動体と、
該可動体の１つの部材を変位させるための可動体変位機構と、
を備え、前記可動体は前記可動体変位機構の動作方向と異なる方向に変位可能なように構成されていることを特徴とする弾球遊技機用遊技部品。
【発明の詳細な説明】
【技術分野】
【０００１】
本発明は、パチンコ遊技機等の弾球遊技機用遊技部品に関し、特に、可動体を備えている弾球遊技機用遊技部品に関する。
【背景技術】
【０００２】
一般に、パチンコ遊技機において、遊技盤の前面側に形成された遊技領域には中央飾り、サイドランプ等の遊技部品が配設されており、これらの遊技部品は、遊技領域の略中央部に設けられた図柄表示装置に停止表示された図柄等に応じて、ランプが点灯、点滅等され、特定の演出効果が創出されるようになっている（例えば、特許文献１及び２参照）。
【０００３】
【特許文献１】特開平７−８６１７号公報
【特許文献２】特開平７−３２８１８１号公報
【発明の開示】
【発明が解決しようとする課題】
【０００４】
ところが、上記した従来の弾球遊技機用遊技部品では、図柄表示装置の表示内容に合わせて遊技部品のランプを点灯させたり、点滅させたりするに過ぎず、演出のマンネリ化が避けられないため、遊技者の興味を十分に引くことができなくなってきている。
【０００５】
本発明は、上記課題を解決すべくなされたものであり、遊技者に斬新な視覚効果を与え、遊技者の興味を十分に引くことのできる弾球遊技機用遊技部品を提供するものである。
【課題を解決するための手段】
【０００６】
本発明は、遊技盤の前面側に形成された遊技領域に設けられる弾球遊技機用遊技部品であって、節により連結された複数の部材から成り、１つの部材の変位に伴い他の部材が変位可能な可動体と、該可動体の１つの部材を変位させるための可動体変位機構とを備え、前記可動体は前記可動体変位機構の動作方向と異なる方向に変位可能なように構成されていることを特徴とする。
【発明の効果】
【０００７】
本発明によれば、前記遊技部品に前記可動体が設けられているため、多彩な演出が可能となり、遊技者に斬新な視覚効果を与え、遊技者の興味を増大させることができる。
【発明を実施するための最良の形態】
【０００８】
以下、図面を参照しつつ、本発明の実施の形態について説明する。なお、以下の説明では、本発明に係る弾球遊技機用遊技部品としてパチンコ遊技機の遊技部品を例にとって説明する。
【０００９】
図１は本実施の形態におけるパチンコ遊技機の遊技盤１の正面図を示しており、図２は遊技盤１の背面図を示している。遊技盤１の前面には、環状に取付けられた外レール２及び内レール３の内側に遊技領域４が形成され、発射装置（図示せず）により発射された遊技球が外レール２に沿って遊技領域４内に送出されるようになっている。そして、遊技領域４には、略中央部に図柄表示装置５、図柄表示装置５の周囲に中央飾り６、周辺部に第１サイドランプ飾り７、第２サイドランプ飾り８、及び下部ランプ飾り９、中央飾り６の下方及び周囲に始動入賞口１０、大入賞口１１、ゲート１２、風車１３等、の各種遊技部品がそれぞれ配設されている。
図柄表示装置５には、前面側から見て、右側から右図柄１４、中図柄１５、左図柄１６が変動表示可能に設けられ、始動入賞口１０への遊技球の入賞により各図柄１４，１５，１６の変動表示が開始されるようになっている。中央飾り６には、矩形状の図柄表示領域透視部１７が形成され、図柄表示領域透視部１７を介して図柄表示装置５の各図柄１４，１５，１６を視認可能となっている。第１サイドランプ飾り７は、前面側から見て左側の内レール３に沿って設けられ、竜の形状を成す可動体１８と、可動体１８を変位させるための可動体変位機構１９とを備えている。第２サイドランプ飾り８は前面側から見て右側の内レール３に沿って設けられ、下部ランプ飾り９は大入賞口１１の周りに設けられている。始動入賞口１０には始動入賞検出スイッチ２０が取付けられ、また、大入賞口１２は一般領域と特定領域（Ｖゾーン）とに区画形成され、一般領域に一般領域通過検出スイッチ２１が取付けられ、特定領域に特定領域通過検出スイッチ２２が取付けられている。さらに、遊技盤１の後面には、制御装置（図示せず）が設けられており、該制御装置は、図柄表示装置５の図柄表示内容に関連して可動体１８を制御したり、大入賞口１２の作動状態に関連して可動体１８を制御したりするように構成されている。
【００１０】
次に、図３〜図８を参照しつつ、遊技部品の第１サイドランプ飾り７について説明する。図３は第１サイドランプ飾り７の背面側からの分解斜視図、図４はその分解正面図、図５は分解背面図、図６は一部を破断した側面図、図７は図１のＡ−Ａ断面図、図８は図２のＢ−Ｂ断面図である。
第１サイドランプ飾り７は、遊技盤１に固定されるベース部材２５と、ベース部材２５の後面側に固定される、レンズ体２６、ランプ基板２７、ランプ基板取付ベース部材２８と、ベース部材の前面側に固定される、第１可動部材上部支軸受部材（以下、竜頭部材という）２９、第３可動部材下部支軸受部材（以下、竜尾部材という）３０、第１入賞口３１、第２入賞口３２と、レンズ体２６の前面側に取付けられる可動体１８と、ランプ基板取付ベース部材２８の後面側に取付けられる可動体変位機構１９とから構成されている。
【００１１】
ベース部材２５は、上下に長く、前面側から見て左側にやや湾曲した形状を成し、その上端部に竜頭部材取付部３３が形成され、下端部に竜尾部材取付部３４が形成されている。また、ベース部材２５には、竜尾部材取付部３４より内側に第１入賞口取付部３５、第２入賞口取付部３６が形成され、竜頭部材取付部３３と竜尾部材取付部３４との間に開口部３７が形成されている。そして、開口部３７の両側には側壁部３８が前方に突設され、開口部３７の上下周辺部分にはレンズ体取付部３９が形成されている。また、ベース部材２５の後面側には、第１入賞口取付部３５及び第２入賞口取付部３６に対応する位置にそれぞれ第１入賞装置４０及び第２入賞装置４１が形成され、第１入賞装置４０及び第２入賞装置４１にはそれぞれ入賞検出センサー４２が装着されている。さらに、ベース部材２５の後面側には、外周縁部に沿って上下にそれぞれランプ基板及びランプ基板取付ベース部材取付部４３，４４が突設されている。
【００１２】
レンズ体２６は、光を透過可能な板状部材から形成され、ベース部材２５の開口部３７を閉塞可能な形状を成している。レンズ体２６には、中央部分に可動軸挿入孔４５が穿設されていると共に、ベース部材２５のレンズ体取付部３９に対応する位置に取付孔４６が穿設されている。また、レンズ体２６の前面側には上部に軸ピン受部４７が突設され、後面側には内周縁部の略中央部分に取付ボス部４８が突設されている。
【００１３】
ランプ基板２７には、ベース部材２５のランプ基板及びランプ基板取付ベース部材取付部４３，４４、及びレンズ体２６の可動軸挿入孔４５、取付ボス部４８に対応する位置にそれぞれランプ基板取付部４９、可動軸挿入孔５０、取付孔５１が形成され、中央部の両側縁部及び下端部の側縁部にそれぞれ欠切部５２が形成されている。また、ランプ基板２７の前面側には所要数のＬＥＤ（Light Emitting Diode）５３が取付けられ、後面側には上部にコネクタ５４が取付けられている。
【００１４】
ランプ基板取付ベース部材２８には、ベース部材２５のランプ基板及びランプ基板取付ベース部材取付部４３，４４に対応する位置にランプ基板取付部５５が形成され、レンズ体２６の可動軸挿入孔４５、取付ボス部４８、コネクタ５４に対応する位置にそれぞれ可動軸挿入孔５６、取付孔５７、開口部５８が穿設されている。また、ランプ基板取付ベース部材２８の前面側には、中央部の両側縁部及び下端部の側縁部にそれぞれ側壁部５９が突設され、各側壁部５９はランプ基板２７の欠切部５２にそれぞれ遊嵌可能となっている。ランプ基板取付ベース部材２８の後面側には、可動軸挿入孔５６と開口部５８の間にソレノイド取付部６０が突設され、ソレノイド取付部６０は、取付孔６１及び位置決め突起６２が形成された固定部６３と、固定部６３に対向して配置された２個の支持部６４とから構成されている。さらに、ランプ基板取付ベース部材２８の後面側には、可動軸挿入孔５６の周りにハの字状にカム変位規制部６５が配設され、固定部６３と支持部６４とに囲まれた部分に配線固定部６６が形成されている。
【００１５】
竜頭部材２９には、ベース部材２５への取付部６７が２箇所設けられ、下端部に支軸部６８が形成され、支軸部６８に軸ピン６９の前端部が嵌着している。竜尾部材３０には、ベース部材２５への取付部７０が２箇所設けられ、上端部に支軸部７１が形成されている。
【００１６】
可動体１８は、節により連結された３個の第１可動部材７５、第２可動部材７６、第３可動部材７７から構成され、中央の第２可動部材７６の変位に伴い他の第１及び第３可動部材７５，７７が変位可能となっている。第１可動部材７５の上端部には支軸部７８が形成され、支軸部７８はベアリング７９、軸ピン６９を介して竜頭部材２９の支軸部６８と連結し、第１可動体７５は竜頭部材２９に対して軸ピン６９を支点として側方に回動可能となっている。また、第１可動部材７５の下端部には支軸部８０が形成され、支軸部８０に軸ピン８１の前端部が嵌着している。第２可動部材７６の上端部には支軸部８２が形成され、支軸部８２はベアリング８３、軸ピン８１を介して第１可動部材７５の支軸部８０と連結し、第１可動体７５と第２可動部材７６は相互に軸ピン８１を支点として側方に回動可能となっている。また、第２可動部材７６の中央部には可動軸８５が後方に突出して設けられ、可動軸８５は各可動軸挿入孔４５，５０，５６を遊貫可能となっている。さらに、第２可動部材７６の下端部には支軸部８６が形成され、支軸部８６に軸ピン８７の前端部が嵌着している。第３可動部材７７の上端部には支軸部８８が形成され、支軸部８８はベアリング８９、軸ピン８７を介して第２可動部材７６の支軸部８６と連結し、第２可動体７６と第３可動部材７７は相互に軸ピン８７を支点として側方に回動可能となっている。また、第３可動部材７７の下端部には支軸部９１が形成され、支軸部９１に軸ピン９２の前端部が嵌着し、支軸部９１はベアリング９３、軸ピン９２を介して竜尾部材３０の支軸部７１と連結し、第３可動体７５は竜尾部材３０に対して軸ピン９２を支点として側方に回動可能となっている。
【００１７】
可動変位機構１９は、駆動源のソレノイド９４と、ソレノイド９４の側面に固定されるソレノイド取付ベース部材９５と、可動軸８５の先端にベアリング９０を介して嵌着されるカム９６とから構成されている。ソレノイド９４及びソレノイド取付ベース部材９５は位置決め突起６２によりそれぞれ固定部６３及び支持部６４に位置決めされ、取付孔６１にネジを螺入することによりソレノイド取付部６０の所定位置に取付けられる。ソレノイド９４の下側にはプランジャー９７が上下方向にストロークＬ（図８参照）の範囲で伸縮可能に設けられ、プランジャー９７の下端部には鍔部９８が形成されている。プランジャー９７の外周にはバネ９９が設けられ、バネ９９は上端部がソレノイド９４の下面に当接し、下端部が鍔部９８に当接するようになっている。カム９６はハの字状のカム変位規制部６５の間において可動軸８５を支点として回動可能に設けられ、先端部に突設された長短２個の突部１００，１０１の間にプランジャー９７の鍔部９８が挟装されるようになっている。また、ソレノイド９４に対する配線（図示せず）は配線固定部６６よりランプ基板取付ベース部材２８に固定されている。
【００１８】
次に、主に、図１、及び図９〜図１１を参照しつつ、本実施の形態に係る遊技部品の動作について説明する。
【００１９】
遊技者により弾球された遊技球が遊技領域を落下する過程において、始動入賞口１１に入賞すると、始動入賞検出スイッチ２０が遊技球の始動入賞口１０への入賞を検出し、その検出信号が図示しない制御装置に送られる。この検出信号に基づいて、前記制御装置は図柄始動信号を送信し、この図柄始動信号により、図柄表示装置５において図柄の変動表示が開始されると共に、ソレノイド９４が駆動される。
【００２０】
図９（ａ）は、ソレノイド９４が駆動する前の第１サイドランプ飾り７の状態を示しており、ソレノイド９４のプランジャー９７はバネ９９の付勢力により伸びた位置に停止している。そして、ソレノイド９４が駆動されると、図９(ｂ)に示されているように、プランジャー９７はバネ９９の付勢力に抗しつつ縮み、カム９６は可動軸８５を支点に上方に回転する。第２可動部材７６は可動軸８５を支点として後面側から見て時計回りに回転し、上部支軸部８２が外側に移動すると共に下部支軸部８６が内側に移動する。第２可動部材７６の回転に伴い、第１可動部材７５は軸ピン８１を支点として後面側から見て反時計回りに回転し、下部支軸部８０は第２可動部材７６の上部支軸部８２と共に外側に移動する。また、第３可動部材７７は軸ピン９２を支点として後面側から見て反時計回りに回転し、上部支軸部８８は第２可動部材７６の下部支軸部８６と共に外側に移動する。
【００２１】
その後、プランジャー９７はバネの付勢力により伸び、カム９６は可動軸８５を支点に下方に回転する。第１〜第３可動部材７５，７６，７７はそれぞれ上記した動作と逆の動作をし、プランジャー９７が元の伸びた姿勢となったところでソレノイド９４は停止する。このように、図柄表示装置５において図柄の変動表示が開始されると、ソレノイド９４のプランジャー９７は上下方向に１回伸縮し、可動体１８は１回動作する。
【００２２】
そして、図１０に示されているように、図柄表示装置５において図柄の変動表示が開始されると、前記制御装置は、所定時間経過後、左図柄７、右図柄５の順に揺れ変動を開始させ、左図柄７と右図柄５の図柄が揃うと判断した場合、再び、ソレノイド９４を駆動させる。そして、上述したのと同様に、プランジャー９７の上下方向への伸縮に伴い、第２可動部材７７は側方に回動し、第２可動部材７７の回動に伴い、第１及び第３可動部材７５，７７も回動する。この場合、プランジャー９７を２回伸縮させ、可動体１８の動作を２回繰り返させることにより、遊技がリーチ状態にあることを遊技者に報知し、遊技者に期待感を抱かせる。
【００２３】
その後、前記制御装置は、右図柄１４、中図１５、左図柄１６のすべての図柄が揃うと判断した場合、再び、ソレノイド９７を駆動させる。そして、この場合には、プランジャー９７を３回伸縮させ、可動体１８の動作を３回繰り返させることにより、遊技が大当り状態にあることを遊技者に報知し、通常遊技から特別遊技（大当り遊技）に移行する。
【００２４】
このように特別遊技に突入すると、大入賞口１１が開放され、遊技球が大入賞口１１に入賞した場合には１５球の賞球が遊技者に払い出される。大入賞口１１は、開放してから３０秒経過するか、又は１０球の入賞があるかのいずれかの事象が発生した場合に一旦閉鎖するが、大入賞口１１が開放している間に、特定領域（Ｖゾーン）への入賞があった場合には、大入賞口１１は再度開放される。そこで、本実施の形態においては、図１１に示すように、大入賞口１１に１０球の入賞があった場合と、大入賞口１１が開放している間に特定領域（Ｖゾーン）への入賞があったことを特定領域通過検出スイッチ２２が検出した場合には、ソレノイド９４を駆動させる。そして、大入賞口１１が開放している間に、特定領域（Ｖゾーン）への入賞があったことを特定領域通過検出スイッチ２２が検出した場合には、プランジャー９７を１回伸縮させ、可動体１８の動作を１回行わせる。また、大入賞口１１が一旦閉鎖した場合には、プランジャー９７を２回伸縮させ、可動体１８の動作を２回繰り返させる。このように所定のタイミングで可動体１８を動作させることにより、遊技者の興趣を第１サイドランプ飾り７に集中させることができる。
【００２５】
そして、大入賞口１１は、最大１６回連続して開放することが可能となっており、大入賞口１１が１６回開放し終えるか、或いは大入賞口１１の開放中に前記特定領域（Ｖゾーン）への入賞を特定領域通過検出スイッチ２２が検出しなかった場合には、特別遊技は終了する。
【００２６】
なお、上記実施の形態では、可動体１８は第１サイドランプ飾り７に設けられているが、中央飾り６、第２サイドランプ飾り８等、他の遊技部品に設けられてもよい。
【００２７】
また、可動体１８は、必ずしも３個の可動部材から構成されていなくてもよく、２個、或いは４個以上の可動部材から構成されていてもよい。さらに、可動体１８のキャラクタは竜に限定されるものではなく、魚、鳥、動物、自動車、飛行機、人形等、他のキャラクタであってもよい。
【００２８】
さらにまた、前記制御装置がソレノイド９４を駆動させ、可動体１８を動作させるタイミング及び回数は上記した場合に限定されるものではなく、例えば、特別遊技（大当たり遊技）の間中、ソレノイド９４を連続的に駆動させ、可動体１８を連続的に繰り返し動作させたりしてもよい。
【００２９】
また、上記実施の形態では、可動体変位機構１９により可動体１８を回動させているが、可動体変位機構１９は、例えば、駆動源としてモータを採用し、モータの回転動をカムにより直線動に変換して可動体１８を直線的に動作させたり、或いは、ソレノイド９４により可動体１８をソレノイド９４の動作方向と異なる方向に直線的に動作させたりするように構成させてもよい。
【００３０】
さらに、上記実施の形態では、パチンコ遊技機を例にとって説明したが、本発明に係る遊技部品は、アレンジボールや雀球等の他の弾球遊技機にも適用可能である。
【図面の簡単な説明】
【００３１】
【図１】本発明の実施の形態における弾球遊技機の遊技盤を示す正面図である。
【図２】本発明の実施の形態における弾球遊技機の遊技盤を示す背面図である。
【図３】本発明の実施の形態における第１サイドランプ飾りを示す背面側からの斜視図である。
【図４】本発明の実施の形態における第１サイドランプを示す分解正面図である。
【図５】本発明の実施の形態における第１サイドランプを示す分解背面図である。
【図６】本発明の実施の形態における第１サイドランプを示す分解平面図であり、一部分が破断されている。
【図７】図１のＡ−Ａ断面図である。
【図８】図２のＢ−Ｂ断面図である。
【図９】（ａ）は本発明の実施の形態におけるソレノイドが駆動する前の第１サイドランプ飾りを示す背面図であり、（ｂ）はそのモータが駆動した後の第１サイドランプ飾りを示す背面図である。
【図１０】本発明の実施の形態における図柄表示装置の表示内容に合わせてソレノイドを駆動させるタイミングを示す図である。
【図１１】本発明の実施の形態における大入賞口の作動状態に合わせてソレノイドを駆動させるタイミングを示す図である。
【符号の説明】
【００３２】
１          遊技盤
４          遊技領域
７          第１ランプ飾り
１８        可動体
１９        可動体変位機構
７５        第１可動部材
７６        第２可動部材
７７        第３可動部材
【図１】
2005052324.tif 000003
【図２】
2005052324.tif 000004
【図３】
2005052324.tif 000005
【図４】
2005052324.tif 000006
【図５】
2005052324.tif 000007
【図６】
2005052324.tif 000008
【図７】
2005052324.tif 000009
【図８】
2005052324.tif 000010
【図９】
2005052324.tif 000011
【図１０】
2005052324.tif 000012
【図１１】
2005052324.tif 000013